【手続補正書】
【提出日】平成23年9月21日(2011.9.21)
【手続補正１】
【補正対象書類名】特許請求の範囲
【補正対象項目名】全文
【補正方法】変更
【補正の内容】
【特許請求の範囲】
【請求項１】
ガス分離プロセスであって、
水性液体供給物とガス混合供給物とを流動化して、流動層を形成することであって、該ガス混合供給物は、第１の水和物Ｐ−Ｔ安定性包絡線を有する第１のガスと、該第１の水和物Ｐ−Ｔ安定性包絡線とは異なる第２の水和物Ｐ−Ｔ安定性包絡線を有する第２のガスとを含む、ことと、
該流動層を、より冷たい熱伝達表面を越えて運搬して、該流動層を、動作圧力における動作温度まで冷却することであって、該動作圧力および動作温度は、該第１の水和物Ｐ−Ｔ安定性包絡線の外側であり、かつ、該第２の水和物Ｐ−Ｔ安定性包絡線の内側である、ことと、
該第２のガスの少なくとも一部分および該水性液体供給物の少なくとも一部分を、複数のガス水和物粒子に変換することと、
該複数のガス水和物粒子と、該水性液体供給物の一部分とを含むガス水和物スラリーを形成することと、
該ガス水和物スラリーから該第１のガスを分離することであって、該分離された第１のガスは、第１の回収量のガスである、ことと
を含む、ガス分離プロセス。
【請求項２】
前記第１のガスおよびガス水和物スラリーを分離した後に、該ガス水和物スラリーを加熱して、前記ガス水和物粒子を分解し、分解量の前記第２のガスおよび前記水性液体供給物の前記一部分を生成することをさらに含む、請求項１に記載のガス分離プロセス。
【請求項３】
前記第１の回収量のガスは、前記第２のガスの未変換部分をさらに含み、前記プロセスは、該第１の回収量のガスに対して、請求項１に記載のステップを繰り返すことをさらに含む、請求項１に記載のガス分離プロセス。
【請求項４】
請求項３に記載の繰り返すステップにおいて、前記ガス水和物スラリーから分離された前記第１のガスを回収して、前記第１の回収量のガスよりも、前記第１のガス濃度が高い第２の回収量のガスを提供することをさらに含む、請求項３に記載のガス分離プロセス。
【請求項５】
ガス輸送プロセスであって、
ガス搭載場所において、水性液体供給物と炭化水素流体供給物を流動化して流動層を形成することであって、該炭化水素流体供給物は、炭化水素液と、水和物Ｐ−Ｔ安定性包絡線を有する炭化水素ガスとを含む、ことと、
該流動層を、より冷たい熱伝達表面を越えて運搬して、該流動層を、動作圧力における動作温度まで冷却することであって、該動作圧力および動作温度は、該水和物Ｐ−Ｔ安定性包絡線の内側である、ことと、
該炭化水素ガスの少なくとも一部分および該水性液体供給物の少なくとも一部分を、複数のガス水和物粒子に変換することと、
該複数のガス水和物粒子および該炭化水素液の一部分を含むガス水和物スラリーを形成することと、
該ガス水和物スラリーをガス搭載解除場所まで輸送することと
を含む、ガス輸送プロセス。
【請求項６】
前記ガス搭載解除場所において、前記ガス水和物スラリーを加熱して、該ガス水和物スラリーを水性液体、前記炭化水素液、および前記炭化水素ガスに分解することをさらに含む、請求項５に記載のガス輸送プロセス。
【手続補正２】
【補正対象書類名】明細書
【補正対象項目名】００１８
【補正方法】変更
【補正の内容】
【００１８】
本発明は、図面および以下の詳細説明から、さらに理解されるであろう。この説明は、具体的詳細を記述するが、本発明のある実施形態は、これらの具体的詳細なしで実行されてもよいことを理解されたい。また、場合によっては、本発明の理解をあいまいにすることを回避するために、周知の処理機器、動作、および技法が詳細に示されていないことも理解されたい。
例えば、本発明は以下の項目を提供する。
（項目１）
ガス分離プロセスであって、
ガス混合供給物を動作圧力まで加圧することであって、該ガス混合供給物は、第１の水和物Ｐ−Ｔ安定性包絡線を有する第１のガスと、該第１の水和物Ｐ−Ｔ安定性包絡線とは異なる第２の水和物Ｐ−Ｔ安定性包絡線を有する第２のガスとを含む、ことと、
該ガス混合供給物を動作温度まで冷却することであって、該動作圧力および動作温度は、該第１の水和物Ｐ−Ｔ安定性包絡線の外側であり、該第２の水和物Ｐ−Ｔ安定性包絡線の内側である、ことと、
該第２のガスの少なくとも一部分および水の少なくとも一部分からガス水和物を形成するために、該動作圧力および動作温度において該第２のガスを該水と接触させることと、
該第１のガスから該ガス水和物を分離することと、
該ガス水和物を分解するために、該ガス水和物を該ガス混合供給物と熱伝達連絡させることと
を含む、プロセス。
（項目２）
上記第１のガスは、より軽いガスであり、上記第２のガスは、より重いガスである、項目１に記載のガス分離プロセス。
（項目３）
上記第１のガスは、純粋な第１のガス成分であり、上記第１の水和物Ｐ−Ｔ安定性包絡線は、純粋な第１の成分の水和物Ｐ−Ｔ安定性包絡線である、項目１に記載のガス分離プロセス。
（項目４）
上記第２のガスは、純粋な第２のガス成分であり、上記第２の水和物Ｐ−Ｔ安定性包絡線は、純粋な第２の成分の水和物Ｐ−Ｔ安定性包絡線である、項目１に記載のガス分離プロセス。
（項目５）
上記第１のガスは、２つ以上の純粋ガス成分を含むガス成分混合物であり、上記第１の水和物Ｐ−Ｔ安定性包絡線は、成分混合物の水和物Ｐ−Ｔ安定性包絡線である、項目１に記載のガス分離プロセス。
（項目６）
上記第２のガスは、２つ以上の純粋ガス成分を含む、ガス成分混合物であり、上記第２の水和物Ｐ−Ｔ安定性包絡線は、成分混合物の水和物Ｐ−Ｔ安定性包絡線である、項目１に記載のガス分離プロセス。
（項目７）
上記第１のガスは、水素であり、上記第２のガスは、二酸化炭素である、項目１に記載のガス分離プロセス。
（項目８）
上記第１のガスは、メタンであり、上記第２のガスは、二酸化炭素である、項目１に記載のガス分離プロセス。
（項目９）
上記ガス混合供給物と熱伝達連絡している上記ガス水和物は、水和物形成の潜熱を吸収する、項目１に記載のガス分離プロセス。
（項目１０）
ガス分離プロセスであって、
流動混合物を形成するために流動性混合物の中に固体粒子媒質を混入することであって、該流動性混合物は、水性液体供給物と、第１の水和物Ｐ−Ｔ安定性包絡線を有する第１のガス、および該第１の水和物Ｐ−Ｔ安定性包絡線とは異なる第２の水和物Ｐ−Ｔ安定性包絡線を有する第２のガスを含む、ガス混合供給物とを含む、ことと、
該流動混合物を熱伝達面と接触させながら、該熱伝達面を越えて該流動混合物を運搬することであって、該熱伝達面は、該流動混合物よりも低温である、ことと、
該熱伝達面との接触時に、動作圧力において該流動混合物を動作温度まで冷却することであって、該動作圧力および動作温度は、該第１の水和物Ｐ−Ｔ安定性包絡線の外側であり、該第２の水和物Ｐ−Ｔ安定性包絡線内である、ことと、
該第２のガスの少なくとも一部分および該水性液体供給物の少なくとも一部分を、複数のガス水和物粒子に変換することと、
該複数のガス水和物粒子と、該水性液体供給物の一部分とを備える、ガス水和物スラリーを形成することと、
該第１のガスから該ガス水和物スラリーを分離することと
を含む、プロセス。
（項目１１）
上記ガス水和物粒子を分解し、上記第２のガスおよび上記水性液体供給物の上記一部分の分解量を生じさせるために、上記第１のガスから上記ガス水和物スラリーを分離した後に、該ガス水和物スラリーを加熱することをさらに含む、項目１０に記載のガス分離プロセス。
（項目１２）
精製ガス生成物として、上記第１のガスの第１の回収量を提供するために、上記ガス水和物スラリーから分離される該第１のガスを回収することをさらに含む、項目１０に記載のガス分離プロセス。
（項目１３）
上記第１の回収量は、上記第１のガス混合供給物からの上記第２のガスの未反応部分とともに、第２のガス混合供給物の中に存在し、上記プロセスは、該第２のガス混合供給物について項目１０に記載のステップを繰り返すことをさらに含む、項目１２に記載のガス分離プロセス。
（項目１４）
上記第１のガスの上記第１の回収量よりも濃縮された第２の回収量を提供するための、項目１３に記載の上記繰り返すステップにおいて、上記ガス水和物スラリーから分離された該第１のガスを回収することをさらに含む、項目１３に記載のガス分離プロセス。
（項目１５）
上記第２の回収量は、精製ガス生成物である、項目１４に記載のガス分離プロセス。
（項目１６）
水和物形成の潜熱を吸収するために、上記ガス水和物スラリーを上記流動混合物と熱伝達連絡させることをさらに含む、項目１０に記載のガス分離プロセス。
（項目１７）
上記ガス水和物スラリー中の上記ガス水和物粒子を分解するために、該ガス水和物スラリーを上記流動混合物と熱伝達連絡させることをさらに含む、項目１０に記載のガス分離プロセス。
（項目１８）
上記固体粒子媒質は、上記流動性混合物の存在下で本質的に不活性である、項目１０に記載のガス分離プロセス。
（項目１９）
ガス輸送プロセスであって、
ガス搭載場所において、流動混合物を形成するために流動性混合物の中に固体粒子媒質を混入することであって、該流動性混合物は、水性液体供給物と、炭化水素液および水和物Ｐ−Ｔ安定性包絡線を有する炭化水素ガスを含む、炭化水素流体供給物とを含む、ことと、
該流動混合物を熱伝達面と接触させながら、該熱伝達面を越えて該流動混合物を運搬することであって、該熱伝達面は該流動混合物よりも低温である、ことと、
該熱伝達面との接触時に、動作圧力における動作温度まで該流動混合物を冷却することであって、該動作圧力および動作温度は、該水和物Ｐ−Ｔ安定性包絡線の内側である、ことと、
該炭化水素ガスの少なくとも一部分および該水性液体供給物の少なくとも一部分を、複数のガス水和物粒子に変換することと、
該複数のガス水和物粒子および該炭化水素液の一部分を備える、ガス水和物スラリーを形成することと、
該ガス水和物スラリーをガス搭載解除場所まで輸送することと、
該ガス搭載解除場所において、該ガス水和物スラリーを、水性液体、該炭化水素液、および該炭化水素ガスに分解するために、該ガス水和物スラリーを加熱することと、
該水性液体、該炭化水素液、および該炭化水素ガスを相互から分離することと
を備える、プロセス。
（項目２０）
上記熱伝達面は、第１の熱伝達面であり、上記プロセスはさらに、上記ガス水和物スラリーを第２の熱伝達面と接触させながら、上記ガス搭載場所において、該第２の熱伝達面を越えて該ガス水和物スラリーを運搬することを備え、該第２の熱伝達面は、該ガス水和物スラリーよりも低温であり、それにより、該第２の熱伝達面との接触時に、過冷却温度において過冷却ガス水和物スラリーにまで該ガス水和物スラリーを過冷却させる、項目１９に記載のガス輸送プロセス。
（項目２１）
上記過冷却ガス水和物スラリーをガス搭載解除場所まで輸送する前に、該過冷却ガス水和物スラリーを減圧することをさらに含む、項目２０に記載のガス輸送プロセス。
（項目２２）
上記炭化水素液は、高圧セパレータの中において上記炭化水素ガスから分離される、項目１９に記載のガス輸送プロセス。
（項目２３）
上記炭化水素ガスから分離された上記炭化水素液を低圧セパレータまで運搬し、付加的な炭化水素ガスを産生するために該低圧セパレータの中において該炭化水素液を減圧することをさらに含む、項目２２に記載のガス輸送プロセス。